(57)【特許請求の範囲】
【請求項１】
装置本体側に取り付けられる取付部材と、この取付部材に、その後端部がヒンジピンを介して上下方向に回動自在に枢支連結された原稿圧着板の支持アームと、前記支持アームと前記取付部材との間に、前記支持アームをこれに取り付けられた原稿圧着板の重量による閉じ方向のモーメントに抗して開き方向へ回動付勢するように装着された圧縮コイルばねと、前記支持アームに、前記圧縮コイルばねの後端部を受けて前後方向に摺動自在に組み込まれたスライダーと、を備えており、前記ヒンジピンと前記スライダーとの間に、前記原稿圧着板及び支持アームのヒンジピン回りの開・閉回動に伴い前記スライダーを後退・前進移動させる支持アームカム機構が設けられている、原稿圧着板の開閉装置において、
前記支持アームと前記スライダーとの間にダンパー装置を設けており、このダンパー装置が、前記支持アームに固定した、下面に前後方向に長い溝と凸条とを左右方向に交互に列設してなるダンパーベースと、前記スライダーの上面に、前記溝及び凸条と摺動自在に嵌合するよう列設した凸条及び溝と、前記ダンパーベースの下面と前記スライダーの上面との摺動面間に介在したグリースにより構成されていることを特徴とする、原稿圧着板の開閉装置。
【発明の詳細な説明】
【０００１】
【発明の属する技術分野】
本発明は、複写機、印刷機、スキャナー等に好適に用いられる原稿圧着板の開閉装置に関する。
【０００２】
【従来の技術】
この種の原稿圧着板の開閉装置は、たとえば、実用新案登録第２５８９７１４号（実開平６−５４０５１）公報に公知である。この原稿圧着板開閉装置は、図６、図７に示すように、複写機等の装置本体４０の後端に取り付けられる取付部材４１と、この取付部材４１の両側板に一端部側をヒンジピン４２を介して回動自在に枢支連結された原稿圧着板４９の支持アーム４３と、この支持アーム４３と取付部材４１との間に、支持アーム４３を開き方向へ回動付勢するように装着された圧縮コイルばね４８と、を備えている。そして、原稿５１をコンタクトガラス５０上に圧着させるために、原稿圧着板４９が所定の閉じ角度より自動的に閉じ、原稿５１をコンタクトガラス５０上に圧着できるように、原稿圧着板４９の重量が約２０°前後の所定閉じ角度から圧縮コイルばね４８の弾力より優るように構成してある。また、その際原稿圧着板４９が急激に落下し、手を挟んだりすることのないように取付部材４１と支持アーム４３との間に、支持アーム４３の約１０°前後の所定閉じ角度以下においてのみ動作する流体ダンパー装置５２を設けてある。流体ダンパー装置５２はオイルダンパーから成り、圧縮コイルばね４８の内部に収納されている。
【０００３】
【発明が解決しようとする課題】
しかるに、流体ダンパー装置５２を備えた上記原稿圧着板の開閉装置では、その流体ダンパー装置５２のオイルダンパーが圧縮コイルばね４８の内部に収納可能に小型化されたシリンダーにオイル、ダイヤフラムを内蔵してユニット化したものであり、コスト高になるばかりか、小ストロークで原稿圧着板４９の精々１０〜２０°の閉じ角度以下においてのみ動作するものであり、つまりダンパー機能が得られる原稿圧着板４９の閉じ角度領域はごく限られた狭いものであって、この原稿圧着板４９の閉じ角度より大きい閉じ角度からの急激な落下は防止できないため安全性が低い。とくに、自動原稿送り装置（ＡＤＦ）を搭載した重い原稿圧着板の場合に、そのような問題が顕著に生じる。
【０００４】
本発明の目的は、このような問題を解消するためになされたものであり、原稿圧着板の閉じ過程全域にわたってダンパー機能を発揮できるようにすることにより安全性の向上を図れ、またダンパー装置の低コスト化を図れる原稿圧着板の開閉装置を提供することにある。
【０００５】
【課題を解決するための手段】
本発明は、装置本体（１）側に取り付けられる取付部材（５）と、この取付部材に、その後端部がヒンジピン（６）を介して上下方向に回動自在に枢支連結された原稿圧着板（２）の支持アーム（７）と、この支持アームと前記取付部材との間に、前記支持アームをこれに取り付けられた原稿圧着板（２）の重量による閉じ方向のモーメントに抗して開き方向へ回動付勢するように装着された圧縮コイルばね（１６）と、前記支持アームに、前記圧縮コイルばねの後端部を受けて前後方向に摺動自在に組み込まれたスライダー（１５）と、を備えており、前記ヒンジピンと前記スライダーとの間に、前記原稿圧着板及び支持アームのヒンジピン回りの開・閉回動に伴い前記スライダーを後退・前進移動させる支持アームカム機構（１９）が設けられている、原稿圧着板の開閉装置において、前記支持アームと前記スライダーとの間にダンパー装置（２４）を設け、このダンパー装置を以下のように構成してあることに特徴を有する。すなわち、前記ダンパー装置は、前記支持アームに固定した、下面に前後方向に長い溝（２５）と凸条（２６）とを左右方向に交互に列設してなるダンパーベース（２７）と、前記スライダーの上面に、前記溝及び凸条と摺動自在に嵌合するよう列設した凸条（２８）及び溝（２９）と、前記ダンパーベースの下面と前記スライダーの上面との摺動面間に介在したグリース（３０）により構成されている。
【０００６】
【作用】
上記構成の原稿圧着板の開閉装置によれば、原稿圧着板の全開状態からこれを閉じるとき、スライダーが支持アームカム機構により前進移動し、このときダンパーベースの下面の溝及び凸条に対しスライダーの上面の凸条及び溝がグリースを介して摺動することによりダンパー機能を発揮し、このダンパー作用により原稿圧着板の重量による閉じ方向のモーメントによる急激な落下を防止でき、原稿圧着板が重い場合も落下速度を落としてゆっくり閉じて行くことになる。かかるダンパー作用は原稿圧着板の全開状態から全閉状態になるまでの閉じ過程全域にわたって発揮されるため、原稿圧着板がごく限られた閉じ角度領域においてのみダンパー機能が得られるようにした従来のものに比較して、原稿圧着板を広い開度領域で急激な落下を防止できて安全性が高められる。
【０００７】
ダンパーベースの下面とスライダーの上面との摺動面間において互いに凹凸嵌合する溝及び凸条によりグリース層表面積を増やすことができ、それだけダンパー効果を更に高めることができる。
【０００８】
【発明の実施の形態】
以下、本発明の好適な実施形態を図面に基づいて説明する。図１は本発明の一実施例の原稿圧着板開閉装置を全閉状態で示す縦断側面図、図２は図１におけるＡ―Ａ断面図、図３は図１におけるＢ―Ｂ線断面図、図４は図１の原稿圧着板開閉装置を全開状態で示す縦断側面図、図５は図１の原稿圧着板開閉装置を厚物原稿圧着状態で示す縦断側面図である。
【０００９】
図１において、１は複写機等の装置本体、２は原稿圧着板、３は原稿圧着板２を装置本体１に対し上下方向に開閉回動自在に取り付けた原稿圧着板開閉装置である。
【００１０】
原稿圧着板開閉装置３は、装置本体１にビス等で取り付けられる取付部材５と、この取付部材５に、その後端側がヒンジピン６を介して上下方向に回動自在に枢支連結された支持アーム７とを備えており、図示例では、更に、支持アーム７の前端側に、その前端部が支持ピン９を介して上下方向に回動自在に枢支連結されたリフトアーム１１を備えている。リフトアーム１１は原稿圧着板２の後端側に図外のビス等で取り付けられる。
【００１１】
取付部材５は、装置本体１にビス等で取り付けられる金属製の底板５ａと、この底板５ａの左右両側端から立ち上げた両側板５ｂ，５ｂ、及び底板５ａの後端から立ち上げた後板５ｃとを有する形に形成されている。一方、支持アーム７は、金属製の上板７ａと、この上板７ａの左右両側端から下方に折曲した両側板７ｂ，７ｂ、及びこの両側板７ｂ，７ｂからそれぞれ内向きに上板７ａと平行に折曲したリップ７ｃ，７ｃとを有する断面リップ付き溝形状に形成されている。支持アーム７はこれの両側板７ｂ，７ｂの後端部が取付部材５の両側板５ｂ，５ｂにヒンジピン６を介して上下方向に回動自在に枢支連結される。
【００１２】
図１、図２に示すように、リフトアーム１１は、原稿圧着板２の後端側に図外のビス等で取り付けられる金属製の上板１１ａと、この上板１１ａの左右両端から下方に折曲した両側板１１ｂ，１１ｂとを有する断面溝形状に形成されている。支持アーム７に対しリフトアーム１１は、上板１１ａが支持アーム７の上板７ａの上側に、両側板１１ｂ，１１ｂが支持アーム７の両側板７ｂ，７ｂの外側にそれぞれ重なり合わされるとともに、リフトアーム１１の前端部を支持アーム７の前端側に支持ピン９まわりに上下方向に回動自在に枢支連結される。
【００１３】
図１〜図３に示すように、支持アーム７の両側板７ｂ，７ｂ間のリップ７ｃ，７ｃ上には、耐摩耗性に優れるポリアセタール系樹脂やポリアミド系樹脂等で有底筒状に成形されたばね受１４とスライダー１５が前後に配されてそれぞれが前後方向に摺動自在に組み込まれる。そして、この支持アーム７内のスライダー１５とばね受１４との間には、支持アーム７をこれに取り付けた原稿圧着板２の重量による閉じ方向のモーメントに抗して開き方向に回動付勢する圧縮コイルばね１６が介在される。
【００１４】
図１に示すように、スライダー１５とヒンジピン６との間には支持アームカム機構１９が設けられる。支持アームカム機構１９は、取付部材５の両側板５ｂ，５ｂ間にヒンジピン６、及び該ヒンジピン６よりも下方で且つ前方に偏して該ヒンジピン６と平行に配された固定ピン１２により固定されたカム１７と、スライダー１５の背面側に一体的に設けたカムフォロア１８とからなる。カム１７は、外周縁の下部に固定ピン１２の軸心に最も近づくよう形成された径小円弧部１７ａと、この小径円弧部１７ａの上端から上方に向かって固定ピン１２の軸心から徐々に遠ざかるよう形成された緩やかな曲縁部１７ｂとを有する形に形成されている。かくして支持アームカム機構１９は、原稿圧着板２の全閉角度付近においてカムフォロア１８がカム１７の径小円弧部１７ａに接触してスライダー１５を圧縮コイルばね１６を圧縮させる方向に押圧して前進移動させ、原稿圧着板２を次第に大きく開くに伴いカムフォロア１８が緩やかな曲縁部１７ｂを摺接して行って圧縮コイルばね１６を次第に長く伸ばす方向にスライダー１５を後退移動させるようにしている。
【００１５】
ばね受１４とリフトアーム７の前端部との間において、図１に示すように、ポリアセタール系樹脂やポリアミド系樹脂などでピン形状の突部２０ａを後ろ向きに突出するよう成形したリフトカム２０が、突部２０ａを支持ピン９の下方に位置するようにリフトアーム１１の前端側の両側板１１ｂ，１１ｂ間にビス等で固定されている。ばね受１４の背面側には、前記リフトカム２０の突部２０ａが当接する斜面突部２１が形成されている。
【００１６】
リフトアーム１１が支持アーム７の上に重なり合っている状態ではリフトカム２０の突部２０ａがばね受１４の斜面突部２１の上に接触しており、図５のように、本のように厚物原稿Ｐを装置本体１のコンタクトガラス２３の上に載せ、原稿圧着板２を閉じてその一部を厚物原稿Ｐに当てがい、原稿圧着板２の手前側を若干強く下方へ押すと、リフトアーム１１が、リフトカム２０の突部２０ａでばね受１４の斜面突部２１上を滑りながら該ばね受１４を押し、圧縮コイルばね１６は少し圧縮され、その弾力に抗して支持ピン９まわりにＭ矢視方向に反転する。この反転により原稿圧着板２がその後端側をリフトアップされて厚物原稿Ｐの上部に対して平行となり、厚物原稿Ｐ全体をコンタクトガラス２３上に均等な圧力で圧着させる。
【００１７】
本発明は、上記構成の原稿圧着板開閉装置３において、図１、図２に示すように、支持アーム７とスライダー１５との間にダンパー装置２４を設けることに特徴を有する。
【００１８】
このダンパー装置２４は、支持アーム７に固定した、下面に前後方向に長い溝２５と凸条２６とを左右方向に交互に列設してなるダンパーベース２７と、スライダー１５の上面に、前記溝２５及び凸条２６と摺動自在に嵌合するよう列設した凸条２８及び溝２９と、ダンパーベース２７の下面とスライダー１５の上面との摺動面間に介在した稠度の高いグリース３０により構成される。凸条２６，２８及び溝２５，２９は、左右方向中央付近の凸条２６，２８が最も低く及び溝２５，２９が最も浅く、左右方向外方に至るに従い凸条２６，２８が徐々に高く、溝２５，２９が徐々に深くなるようにスライダー１５の内部のばね受穴の円周上部にほぼ沿う形に形成されている。なお、図３に示すように、ばね受１４の上面はダンパーベース２７の左右方向中央付近の凸条２６に対し軽く摺接する程度の形状に形成してある。
【００１９】
上記構成の原稿圧着板の開閉装置によれば、図１のように原稿圧着板２が水平姿勢に全閉した状態では、圧縮コイルばね１６は支持アームカム機構１９により押されたスライダー１５を介して最も圧縮された状態にあって、原稿圧着板２の自重によって生じる閉じ方向のモーメントの大きさと、圧縮コイルばね１６の弾力による開方向のモーメントの大きさとが均衡を保って原稿圧着板２の全閉状態を保持している。
【００２０】
この全閉状態から原稿圧着板２を開くときには、支持アーム７を原稿圧着板２の重量による閉じ方向のモーメントに抗して開き方向へ回動付勢している圧縮コイルばね１６の弾力によってスライダー１５が支持アームカム機構１９を介して後退移動しながら原稿圧着板２が次第に大きく開いて行く。
【００２１】
原稿圧着板２及び支持アーム７が図４に示すごとく全開（例えば、６０°）したときは、スライダー１５は最も後退した位置にある。この全開状態から原稿圧着板２を閉じるときは、スライダー１５は支持アームカム機構１９を介して前進移動し、このスライダー１５の上面の凸条２８及び溝２９をダンパーベース２７の下面の溝２５及び凸条２６に対しグリース３０を介して摺動することによりダンパー機能を発揮する。このダンパー作用により原稿圧着板２の重量による閉じ方向のモーメントによる急激な落下を防止でき、原稿圧着板２が重い場合も落下速度を落としてゆっくり閉じて行くことになる。したがって、その原稿圧着板２とコンタクトガラス２３との間で手を挟むなどの事故を予防できる。かかるダンパー作用は原稿圧着板２の全開状態から全閉状態になるまでの閉じ過程全域にわたって発揮されるため、原稿圧着板２がいかなる開き角度位置からも急激に落下することがなくなり、安全性が高いものとなった。また、ダンパーベース２７の下面とスライダー１５の上面との摺動面間において互いに凹凸嵌合する溝２５と凸条２８、凸条２６と溝２９によりグリース層表面積を増やすことができるため、ダンパー効果を更に上げることができた。
【００２２】
上記実施例の原稿圧着板の開閉装置では厚物原稿にも対応すべくリフトアーム１１を備えてあるが、本発明は、リフトアーム１１を備えず、支持アーム７と取付部材５からなる原稿圧着板の開閉装置にも同様に適用できるものである。但し、この場合、原稿圧着板２は支持アーム７に取り付け、ばね受１４は支持アーム７に対して固定し、リフトカム機構２２は不要となる。
【００２３】
【発明の効果】
本発明によれば、支持アームとスライダーとの間に設けたダンパー装置の作用により原稿圧着板の小さい開き角度位置からの急激な落下はもとより、大きい開き角度位置からの急激な落下をも防止できるため、安全性を向上できる。また、そのダンパー装置は、溝と凸条とを列設してなるダンパーベース、スライダーの上面に前記溝及び凸条と嵌合するよう列設した凸条及び溝、及びグリースにより構成されるものであるから、ダンパー効果を高めることができるとともに、従来のオイルダンパーユニットから成る流体ダンパー装置に比し低コストで提供できる利点がある。
【図面の簡単な説明】
【図１】本発明の一実施例の原稿圧着板開閉装置を全閉状態で示す縦断側面図である。
【図２】図１におけるＡ―Ａ断面図である。
【図３】図１におけるＢ―Ｂ線断面図である。
【図４】図１の原稿圧着板開閉装置を全開状態で示す縦断側面図である。
【図５】図１の原稿圧着板開閉装置を厚物原稿圧着状態で示す縦断側面図である。
【図６】従来例の原稿圧着板開閉装置を全閉状態で示す縦断側面図である。
【図７】図６の原稿圧着板開閉装置を全開状態で示す縦断側面図である。
【符号の説明】
１  装置本体
２  原稿圧着板
５  取付部材
６  ヒンジピン
７  支持アーム
１５  スライダー
１６  圧縮コイルばね
１９  支持アームカム機構
２４  ダンパー装置
２５  ダンパーベースの溝
２６  ダンパーベースの凸条
２７  ダンパーベース
２８  スライダーの凸条
２９  スライダーの溝
３０  グリース
【図１】
0003572301.tif 000002
【図２】
0003572301.tif 000003
【図３】
0003572301.tif 000004
【図４】
0003572301.tif 000005
【図５】
0003572301.tif 000006
【図６】
0003572301.tif 000007
【図７】
0003572301.tif 000008